(57)【要約】【課題】  トラックのあおりよりも背の低い荷物でも確実に固定できる固定金具の提供。【解決手段】  少なくとも、トラック荷台の両サイドにおいて対の関係をもって使用されて、トラックのあおりと荷台の間に画成される空間内に移動可能に取り付けられる固定金具であって、上下方向に一体に連続する上部フック体１と下部ベース体２とを備え、上部フック体１は、あおりの高さよりも低く設定されて、荷物に掛け渡されるロープ類の端部を留める留め部３を有し、下部ベース体２は、荷台の側面に着脱可能に嵌め込まれる形状が付与されて、荷台の下部側に引っ掛かる引掛り部５を有して、固定金具を荷台の側面に嵌め込んで、ロープ類の端部を上部フック体１の留め部３に留めるだけで、トラックのあおりよりも背の低い荷物でも、荷台に対して確実に固定できる。【選択図】  図１
2010052615.tif 000002
【特許請求の範囲】
【請求項１】
少なくとも、トラック荷台の両サイドにおいて対の関係をもって使用されて、トラックのあおりと荷台の間に画成される空間内に移動可能に取り付けられる固定金具であって、上下方向に一体に連続する上部フック体と下部ベース体とを備え、上部フック体は、あおりの高さよりも低く設定されて、荷物に掛け渡されるロープ類の端部を留める留め部を有し、下部ベース体は、荷台の側面に着脱可能に嵌め込まれる形状が付与されて、荷台の下部側に引っ掛かる引掛り部を有することを特徴とする固定金具。
【請求項２】
上部フック体は、荷台方向に傾斜していることを特徴とする請求項１記載の固定金具。
【請求項３】
下部ベース体は、上部フック体との境にあおりの底面で押圧される肩部を有することを特徴とする請求項１乃至請求項２のいずれかに記載の固定金具。
【請求項４】
上部フック体の留め部は、孔状を呈し、該孔状の留め部内にロープ類の環状端部を差し込んで、該環状端部に留め棒を通すことを特徴とする請求項１乃至請求項３のいずれかに記載の固定金具。
【発明の詳細な説明】
【技術分野】
【０００１】
本発明は、特に、トラックの荷台に対して、荷物を固定する固定金具に関するものである。
【背景技術】
【０００２】
トラック２１の荷台２２に荷物を固定する場合には、従来は、図７に示す如く、荷台２２の側方に蝶番を介して回動可能に設けられる所謂あおり２３に複数のロープフック２４を一定の間隔をおいて固設して、該各ロープフック２４にロープ類を掛け渡すことにより、トラックの荷台に対して荷物を固定していた。
【発明の開示】
【発明が解決しようとする課題】
【０００３】
従って、従来にあっては、あおり２３よりも背の高い荷物は、その十分な高さを利用して、ロープ類を縦横に掛け渡すことができるので、移動することなく確実に固定することができるが、逆に、あおり２３よりも背の低い荷物は、そのままでは、ロープ類を掛け渡すことができないので、容易に移動してしまう恐れがあった。
【０００４】
そこで、通常は、あおり２３自体の外側にロープフック２４を固設することに加えて、内側の荷台底部にも対の関係にあるロープフックを固設して、この内側のロープフックを利用して、あおり２３よりも背の低い荷物を固定する工夫が採られているが、この場合には、ロープフックの固設位置が予め決定されることとなるので、固定位置が変更できない不都合があると共に、荷物の大きさも自ずと限定されてしまう不利不便があった。
【課題を解決するための手段】
【０００５】
本発明は、斯かる実情に鑑み開発されたもので、請求項１記載の発明は、少なくとも、トラック荷台の両サイドにおいて対の関係をもって使用されて、トラックのあおりと荷台の間に画成される空間内に移動可能に取り付けられる固定金具であって、上下方向に一体に連続する上部フック体と下部ベース体とを備え、上部フック体は、あおりの高さよりも低く設定されて、荷物に掛け渡されるロープ類の端部を留める留め部を有し、下部ベース体は、荷台の側面に着脱可能に嵌め込まれる形状が付与されて、荷台の下部側に引っ掛かる引掛り部を有することを特徴とする。
【０００６】
請求項２記載の発明は、請求項１を前提として、上部フック体は、荷台方向に傾斜していることを特徴とする。
【０００７】
請求項３記載の発明は、請求項１乃至請求項２を前提として、下部ベース体は、上部フック体との境にあおりの底面で押圧される肩部を有することを特徴とする。
【０００８】
請求項４記載の発明は、請求項１乃至請求項３を前提として、上部フック体の留め部は、孔状を呈し、該孔状の留め部内にロープ類の環状端部を差し込んで、該環状端部に留め棒を通すことを特徴とする。
【発明の効果】
【０００９】
依って、請求項１記載の発明にあっては、起立状態にあるあおりのロックを解いて、あおりを外側に倒すと、あおりと荷台の間に空間が画成されるので、この空間を利用して、固定金具の下部ベース体を荷台の側面に嵌め込むと、下部ベース体の引掛り部が荷台の下部に引っ掛かって、固定金具自体が荷台に対して移動可能に取り付けられるので、後は、固定金具を所望の位置に移動させて、荷物に掛け渡されたロープ類の端部を対の関係にある固定金具の上部フック体の留め部に留めれば、これにより、あおりよりも背の低い荷物でも、荷台に対して移動することなく確実に固定できる。
【００１０】
請求項２記載の発明にあっては、上部フック体が荷台方向に傾斜しているので、ロープ類の端部を留め部に留める作業が容易となると共に、ロープ類を緊張して荷物に掛け渡すことが可能となる。
【００１１】
請求項３記載の発明にあっては、下部ベース体があおりの底面で押圧される肩部を有する関係で、あおりを起立状態にロックすると、肩部に対する押圧で、固定金具がその位置に移動不能にロックされるので、荷物の確実な固定状態が一層保障される。
【００１２】
請求項４記載の発明にあっては、孔状の留め部にロープ類の環状端部を差し込んで、該環状端部に留め棒を通すだけで、ロープ類の端部を留め部に留められるので、作業が容易に行なえる。
【発明を実施するための最良の形態】
【００１３】
本発明は、少なくとも、トラック荷台の両サイドにおいて対の関係をもって使用されて、トラックのあおりと荷台の間に画成される空間内に移動可能に取り付けられる固定金具を前提として、上下方向に一体に連続する上部フック体と下部ベース体とを備え、上部フック体は、あおりの高さよりも低く設定されて、荷物に掛け渡されるロープ類の端部を留める留め部を有し、下部ベース体は、荷台の側面に着脱可能に嵌め込まれる形状が付与されて、荷台の下部側に引っ掛かる引掛り部を有することにより、固定金具を荷台の自由な位置に移動させて、その場で、あおりよりも背の低い荷物を確実に固定せんとするものである。
【実施例】
【００１４】
以下、本発明を図示する好適な実施例に基づいて詳述すると、該実施例に係る固定金具は、ステンレス板により一体に成形されて、トラック荷台の両サイドにおいて対の関係をもって使用されるもので、その具体的構造は、図１乃至図２に示す如く、上下方向に連続する上部フック体１と下部ベース体２とを備え、前者の上部フック体１は、剛性を得るために三層構造を呈し、後述するトラックのあおり７の高さよりも低く設定されて、その中央に荷物９に掛け渡されるロープ類１０の環状端部１０ａを留める留め部たる留め孔３を開設すると共に、上部フック体１自体をトラックの荷台６方向に傾斜させる構成となっている。
【００１５】
又、後者の下部ベース体２は、荷台６の側面側に着脱可能に嵌め込まれるもので、上記した上部フック体１との境に位置する上側には、あおり７の底面で押圧される肩部４を形成し、下側には、荷台６の下部に引っ掛かるＪ字状の引掛り部５を形成して、トラックのあおり７と荷台６の間に画成される空間を利用して、当該下部ベース体２を嵌め込んで、引掛り部５を荷台６の下部に引っ掛けながら、肩部４を荷台６の側縁に載置すると、固定金具自体が荷台６に対して移動可能に取り付けられる構成となっている。
【００１６】
依って、実際に、斯かる固定金具をトラックの荷台６側に取り付けて、あおり７よりも背の低い荷物９を固定する場合には、図３・図４に示す如く、荷台６の両サイドで起立状態にあるあおり７のロックを解いて、各あおり７を外側に倒すと、あおり７と荷台６の間に空間Ｓが画成されるので、この両サイドの空間Ｓを利用して、固定金具の下部ベース体２を荷台６の側面に嵌め込むと、下部ベース体２の引掛り部５が荷台６の下部に引っかかりながら、下部ベース体２の肩部４が荷台６の側縁に載置されるので、これにより、対の関係にある固定金具自体が荷台６に対して移動可能に取り付けられることとなる。
【００１７】
そこで、両サイドの固定金具を対の関係にある所望の位置に移動させて、荷物９に掛け渡されたロープ類１０の環状端部１０ａを上部フック体１の留め孔３に差し込んで、該留め孔３より外側に突出する環状端部１０ａに留め棒１１を通せば、これにより、あおり７のよりも背の低い荷物９でも、移動することなく簡単に固定できる。この場合に、ロープ類１０に締め付け可能なラッシングベルトを使用すると、荷物９に対する掛け渡しが容易となる。
【００１８】
尚、この留め孔３に対するロープ類１０の環状端部１０ａの差し込みに際しては、上部フック体１が荷台６方向に傾斜しているので、差込作業が容易となると共に、最後に、あおり７を立ち上げても、あおり７とロープ類１０の端部１０ａとが干渉することがない。又、後は、留め棒１１を通すだけなので、留め孔３にロープ類１０の環状端部１０ａを簡単に留めることが可能となる。
【００１９】
そして、最後に、あおり７を立ち上げて、起立状態にロックすると、今度は、図５・図６に示す如く、下部ベース体２の肩部４があおり７の底面で押圧されるので、これにより、固定金具は移動不能となって、その位置にロックされる。従って、この固定金具のロックにより、固定金具自体が不用意に移動することがなくなるので、例え、あおり７よりも背の低い荷物９であっても、トラックの荷台６に対して確実に固定されることとなる。
【００２０】
又、固定金具を使用しない時は、再度、あおり７を外側に倒して、あおり７と荷台６の間に空間Ｓを画成すれば、固定金具を簡単に取り外すことができるので、固定金具自体の存在が邪魔となることは決してない。尚、固定金具を使用しない時は、従来と同様に、あおり７の外側に固設されたロープフックを使用して、あおり７よりも背の高い荷物９を固定することは言うまでもない。
【００２１】
更に、自動車メーカーによっては、あおり７と荷台６に関して多少の相違はあるが、あおり７が荷台６の側面に蝶番８を介して回動可能に設けられている限りは、必ず、あおり７と荷台６の間に空間Ｓが画成されることとなるので、本実施例の固定金具は、この空間Ｓを有効に利用するだけであるから、汎用に使用できる大きな利点がある。
【産業上の利用可能性】
【００２２】
本発明に係る固定金具は、トラック荷台に対して位置を自由に移動して、その所望の位置で、あおりよりも背の低い荷物をロープ類を介して簡単に固定できるので、これを各種トラックに応用すれば、頗る好都合なものとなる。
【図面の簡単な説明】
【００２３】
【図１】本発明の実施例に係る固定金具を示す斜視図である。
【図２】図１のＡ−Ａ線断面図である。
【図３】あおりを倒して画成された空間内に固定金具を取り付けた状態を示す要部斜視図である。
【図４】同要部断面図である。
【図５】あおりを起立状態にロックして固定金具を押圧している状態を示す要部斜視図である。
【図６】同要部断面図である。
【図７】従来のトラック構造を示す斜視図である。
【符号の説明】
【００２４】
１      上部フック体
２      下部ベース体
３      留め孔（留め部）
４      肩部
５      引掛り部
６      トラックの荷台
７      あおり
８      蝶番
９      荷物
１０    ロープ類
１０ａ  環状端部
１１    留め棒
Ｓ      空間
【図１】
2010052615.tif 000003
【図２】
2010052615.tif 000004
【図３】
2010052615.tif 000005
【図４】
2010052615.tif 000006
【図５】
2010052615.tif 000007
【図６】
2010052615.tif 000008
【図７】
2010052615.tif 000009